(57)【要約】【課題】記録ディスクメディアの高密度記録化を図ることができるとともに、金属プレートと合成樹脂製部材とが剥れにくい記録ディスクカートリッジを提供する。【解決手段】カートリッジケース１０と、ロータリシャッタ２０と、記録ディスクメディア３０と、を備える記録ディスクカートリッジ１において、カートリッジケース１０を構成する上シェル１１及び下シェル１２の少なくとも一方に、カートリッジケース１０の周壁のうちアクセス用開口部１０１に隣接する部分を構成する折り曲げ部１０２を、金属プレートを折り曲げ加工することにより、平面視直線状に一体形成する。【選択図】図１
2007164875.tif 000002
【特許請求の範囲】
【請求項１】
記録ディスクメディアと、前記記録ディスクメディアを回転自在に収容するとともに前記記録ディスクメディアを外部に臨ませるためのケース開口を有するカートリッジケースと、を備える記録ディスクカートリッジであって、
前記カートリッジケースは、前記記録ディスクメディアの上方に配置される金属プレートからなる上シェルと、前記記録ディスクメディアの下方に配置される金属プレートからなる下シェルと、前記記録ディスクメディアの半径方向外側であって前記上シェルと前記下シェルとの間に配置される合成樹脂製のフレーム部材と、を有し、
前記上シェル及び前記下シェルの少なくとも一方には、前記カートリッジケースの周壁のうち前記ケース開口に隣接する部分を構成する折り曲げ部が、前記金属プレートを折り曲げ加工することにより、平面視直線状に一体形成されていることを特徴とする記録ディスクカートリッジ。
【請求項２】
前記折り曲げ部の、前記ケース開口と反対側の端部は、前記フレーム部材と重なり合うとともに該フレーム部材よりも外側に位置することを特徴とする請求項１に記載の記録ディスクカートリッジ。
【請求項３】
前記折り曲げ部は、前記上シェル及び前記下シェルの対向する位置にそれぞれ設けられており、互いに重なり合って前記カートリッジケースの周壁のうち前記ケース開口に隣接する部分を構成していることを特徴とする請求項１又は請求項２に記載の記録ディスクカートリッジ。
【請求項４】
記録ディスクメディアと、前記記録ディスクメディアを回転自在に収容するとともに前記記録ディスクメディアを外部に臨ませるためのシャッタ開口を有するロータリシャッタと、前記ロータリシャッタを回動自在に収容するとともに前記シャッタ開口を介して前記記録ディスクメディアを外部に臨ませるためのケース開口を有するカートリッジケースと、を備える記録ディスクカートリッジであって、
前記ロータリシャッタは、前記記録ディスクメディアの上方に配置される金属プレートからなる上シャッタと、前記記録ディスクメディアの下方に配置される金属プレートからなる下シャッタと、前記記録ディスクメディアの半径方向外側であって前記上シャッタと前記下シャッタとの間に配置される合成樹脂製のシャッタウォールと、を有し、
前記上シャッタ及び前記下シャッタの少なくとも一方には、前記ロータリシャッタの周壁のうち前記シャッタ開口に隣接する部分を構成する折り曲げ部が、前記金属プレートを折り曲げ加工することにより、平面視直線状に一体形成されていることを特徴とする記録ディスクカートリッジ。
【請求項５】
前記折り曲げ部の、前記シャッタ開口と反対側の端部は、前記シャッタウォールと重なり合うとともに該シャッタウォールよりも外側に位置することを特徴とする請求項４に記載の記録ディスクカートリッジ。
【請求項６】
前記折り曲げ部は、前記上シャッタ及び前記下シャッタの対向する位置にそれぞれ設けられており、互いに重なり合って前記ロータリシャッタの周壁のうち前記シャッタ開口に隣接する部分を構成していることを特徴とする請求項４又は請求項５に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。ここで、図７（ａ）は、従来の記録ディスクカートリッジの上側を前方左側から見下ろした様子を示す図、図７（ｂ）は、この記録ディスクカートリッジを構成するロータリシャッタの分解斜視図である。図７（ａ）に示すように、従来の記録ディスクカートリッジ８００は、その外観が厚さの薄い略直方体であって、カートリッジケース８１０の内部に回動可能に配置されたロータリシャッタ８２０と、このロータリシャッタ８２０の内部に回転自在に配置された記録ディスクメディア８３０とを備えている。
この記録ディスクカートリッジ８００では、図示しない専用のドライブ装置に装填された際に、ロータリシャッタ８２０が回動することでロータリシャッタ８２０の切欠部８２１がカートリッジケース８１０のアクセス用開口部８１３と重なり合って、記録ディスクメディア８３０が外部に臨むようになっている。
【０００４】
そして、この記録ディスクカートリッジ８００では、薄さを確保するために、カートリッジケース８１０及びロータリシャッタ８２０が、金属プレートにしぼり加工や折り曲げ加工を施すことによって形成されている。具体的には、カートリッジケース８１０は、金属プレートからなる上シェル８１１と下シェル８１２とで構成されており、上シェル８１１と下シェル８１２の周囲には、しぼり加工や折り曲げ加工によって周壁部８１１ａ，８１２ａがそれぞれ立ち上げられている。また、図７（ｂ）に示すように、ロータリシャッタ８２０は、金属プレートからなる上シャッタ８２３と下シャッタ８２４とで構成されており、この上シャッタ８２３と下シャッタ８２４のそれぞれは、略円形の輪郭を有するとともに、その周囲にはしぼり加工によって周壁部８２３ａ，８２４ａが形成されている。
【０００５】
【特許文献１】米国特許第６２５６１６８号明細書
【発明の開示】
【発明が解決しようとする課題】
【０００６】
ところで、従来の記録ディスクカートリッジ８００の構造では、しぼり加工を施して金属プレートの一部を立ち上げて、平面視円弧状の周壁を形成した際に、立ち上げ箇所で加工ひずみが生じる。そのために、カートリッジケース８１０及びロータリシャッタ８２０の上壁及び下壁を構成する平坦面には、反りやうねりが生じる場合がある。そして、このような反りやうねりが生じると、記録ディスクメディア８３０の安定した回転が妨げられるために、記録ディスクメディア８３０の高密度記録化を図ることができないという問題点があった。
そこで、カートリッジケース８１０及びロータリシャッタ８２０の周壁を合成樹脂製の別部材で形成することにより、しぼり加工によるひずみを回避することが考えられる。
【０００７】
しかしながら、カートリッジケース８１０及びロータリシャッタ８２０の周壁を金属プレートと合成樹脂の２部材で構成すると、これらの周壁のうちアクセス用開口部８１３及び切欠部８２１に面する端部に異物が引っ掛かり易くなり、金属プレートと合成樹脂部材とが剥れてしまうおそれがある。金属プレート部材と合成樹脂製部材とが剥れると、剥れた部分から塵埃などが侵入し易くなり、記録ディスクカートリッジ８００の防塵性が低下し、記録ディスクメディア８３０の記録／再生エラーが生じ易くなる。
【０００８】
そこで、本発明は、記録ディスクメディアの高密度記録化を図ることができるとともに、金属プレートと合成樹脂製部材とが剥れにくい記録ディスクカートリッジを提供することを課題とする。
【課題を解決するための手段】
【０００９】
本発明に係る記録ディスクカートリッジは、記録ディスクメディアと、前記記録ディスクメディアを回転自在に収容するとともに前記記録ディスクメディアを外部に臨ませるためのケース開口を有するカートリッジケースと、を備える記録ディスクカートリッジであって、前記カートリッジケースは、前記記録ディスクメディアの上方に配置される金属プレートからなる上シェルと、前記記録ディスクメディアの下方に配置される金属プレートからなる下シェルと、前記記録ディスクメディアの半径方向外側であって前記上シェルと前記下シェルとの間に配置される合成樹脂製のフレーム部材と、を有し、前記上シェル及び前記下シェルの少なくとも一方には、前記カートリッジケースの周壁のうち前記ケース開口に隣接する部分を構成する折り曲げ部が、前記金属プレートを折り曲げ加工することにより、平面視直線状に一体形成されていることを特徴とする。
【００１０】
かかる構成によれば、カートリッジケースの周壁が、折り曲げ加工によって金属プレートと一体形成された平面視直線状の折り曲げ部と合成樹脂製のフレーム部材とで構成されている。つまり、この記録ディスクカートリッジでは、従来の記録ディスクカートリッジのカートリッジケース（図７（ａ）参照）と異なって、円弧状の輪郭を呈する部分にしぼり加工を施していないので、上シェル及び下シェルの平坦性が失われることがない。そのため、記録ディスクカートリッジの高密度記録化を図ることが可能となる。
【００１１】
また、かかる構成によれば、記録ディスクカートリッジを持ち運ぶときなどに異物がもっとも引っ掛かりやすい部分であるカートリッジケースの周壁のうち前記ケース開口に隣接する部分が、折り曲げ加工によって上シェル又は下シェルを構成する金属プレートと一体に形成されている。そのため、合成樹脂製のフレーム部材と金属プレートとの継ぎ目がケース開口に露出しないので、異物が引っ掛かり難くなり、上シェル又は下シェルとフレーム部材とが剥れ難くなる。
【００１２】
また、かかる構成によれば、カートリッジケースの周壁のうちケース開口に隣接する部分が金属プレートを折り曲げ加工して一体形成されているので、例えば記録ディスクカートリッジを誤って落とした場合でも、フレーム部材の端部と金属プレートとの継ぎ目が直接衝撃を受けることがないため、壊れ難い。
【００１３】
また、前記折り曲げ部の、前記ケース開口と反対側の端部は、前記フレーム部材と重なり合うとともに該フレーム部材よりも外側に位置するのが好ましい。
【００１４】
かかる構成によれば、折り曲げ部とフレーム部材とが重なり合っているので、両者の間に隙間が生じることがない。そのため、塵埃の侵入を防止することができる。また、折り曲げ部がフレーム部材よりも外側に位置しているので、フレーム部材の端部が折り曲げ部によって隠される。そのため、フレーム部材の端部と金属プレートとの継ぎ目に異物が引っ掛かることがなく、両者が剥れ難くなる。
【００１５】
また、前記折り曲げ部は、前記上シェル及び前記下シェルの対向する位置にそれぞれ設けられており、互いに重なり合って前記カートリッジケースの周壁のうち前記ケース開口に隣接する部分を構成しているのが好ましい。
【００１６】
かかる構成によれば、互いに重なり合った折り曲げ部によって、カートリッジケースの周壁のうちケース開口に隣接する部分が構成されるので、この部分の周壁の強度が向上するとともに、カートリッジケース内に塵埃が侵入しにくくなる。
【００１７】
また、本発明に係る記録ディスクカートリッジは、記録ディスクメディアと、前記記録ディスクメディアを回転自在に収容するとともに前記記録ディスクメディアを外部に臨ませるためのシャッタ開口を有するロータリシャッタと、前記ロータリシャッタを回動自在に収容するとともに前記シャッタ開口を介して前記記録ディスクメディアを外部に臨ませるためのケース開口を有するカートリッジケースと、を備える記録ディスクカートリッジであって、前記ロータリシャッタは、前記記録ディスクメディアの上方に配置される金属プレートからなる上シャッタと、前記記録ディスクメディアの下方に配置される金属プレートからなる下シャッタと、前記記録ディスクメディアの半径方向外側であって前記上シャッタと前記下シャッタとの間に配置される合成樹脂製のシャッタウォールと、を有し、前記上シャッタ及び前記下シャッタの少なくとも一方には、前記ロータリシャッタの周壁のうち前記シャッタ開口に隣接する部分を構成する折り曲げ部が、前記金属プレートを折り曲げ加工することにより、平面視直線状に一体形成されていることを特徴とする。
【００１８】
かかる構成によれば、ロータリシャッタの周壁が、折り曲げ加工によって金属プレートと一体形成された平面視直線状の折り曲げ部と合成樹脂製のシャッタウォールとで構成されている。つまり、この記録ディスクカートリッジでは、従来の記録ディスクカートリッジのロータリシャッタ（図７（ｂ）参照）と異なって、円弧状の輪郭を呈する部分にしぼり加工を施していないので、上シャッタ及び下シャッタの平坦性が失われることがない。そのため、記録ディスクカートリッジの高密度記録化を図ることが可能となる。
【００１９】
また、かかる構成によれば、記録ディスクカートリッジを組み立てるときなどに異物がもっとも引っ掛かりやすい部分であるロータリシャッタの周壁のうち前記シャッタ開口に隣接する部分が、折り曲げ加工によって上シャッタ又は下シャッタを構成する金属プレートと一体に形成されている。そのため、合成樹脂製のシャッタウォールと金属プレートとの継ぎ目がシャッタ開口に露出しないので、異物が引っ掛かり難くなり、上シャッタ又は下シャッタとシャッタウォールとが剥れ難くなる。
【００２０】
また、かかる構成によれば、ロータリシャッタの周壁のうちシャッタ開口に隣接する部分が金属プレートを折り曲げ加工して一体形成されているので、例えば記録ディスクカートリッジの組み立て時にロータリシャッタを誤って落とした場合でも、シャッタウォールの端部と金属プレートとの継ぎ目が直接衝撃を受けることがないため、壊れ難い。
【００２１】
また、前記折り曲げ部の、前記シャッタ開口と反対側の端部は、前記シャッタウォールと重なり合うとともに該シャッタウォールよりも外側に位置するのが好ましい。
【００２２】
かかる構成によれば、折り曲げ部とシャッタウォールとが重なり合っているので、両者の間に隙間が生じることがない。そのため、塵埃の侵入を防止することができる。また、折り曲げ部がシャッタウォールよりも外側に位置しているので、シャッタウォールの端部が折り曲げ部によって隠される。そのため、シャッタウォールの端部と金属プレートとの継ぎ目に異物が引っ掛かることがなく、両者が剥れ難くなる。
【００２３】
また、前記折り曲げ部は、前記上シャッタ及び前記下シャッタの対向する位置にそれぞれ設けられており、互いに重なり合って前記ロータリシャッタの周壁のうち前記シャッタ開口に隣接する部分を構成しているのが好ましい。
【００２４】
かかる構成によれば、互いに重なり合った折り曲げ部によって、ロータリシャッタの周壁のうちシャッタ開口に隣接する部分が構成されるので、この部分の周壁の強度が向上するとともに、ロータリシャッタ内に塵埃が侵入しにくくなる。
【発明の効果】
【００２５】
本発明によれば、記録ディスクメディアの高密度記録化を図ることができるとともに、金属プレートと合成樹脂製部材とが剥れにくい記録ディスクカートリッジを提供することができる。そのため、記録ディスクカートリッジの品質と生産性の向上を図ることができる。
【発明を実施するための最良の形態】
【００２６】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、下シェル及びハブ孔シャッタを取り外したときの記録ディスクカートリッジの下側の様子を示す平面図であり、（ａ）は全体図、（ｂ）は（ａ）の符号Ｅ部分の拡大図である。図４は、本実施形態に係るロータリシャッタを示す斜視図であり、（ａ）は前方斜め上方からみた図、（ｂ）は後方斜め下方からみた図である。図５は、上シャッタを取り外した状態のロータリシャッタの様子を示す平面図であり、（ａ）は、全体図、（ｂ）は（ａ）の符号Ｆ部分の拡大図、（ｃ）は（ａ）の符号Ｇ部分の拡大図である。図６は、本実施形態に係る記録ディスクカートリッジをドライブ装置に挿入した状態を示す斜視図である。
なお、本実施形態において方向を説明する場合は、図１に示す前、後、右、左、上、下、を基準として説明する。また、図３（ａ）中、下シェルのガイド溝及びハブ孔シャッタは、便宜上、仮想線（二点鎖線）で表わしている。
【００２７】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、を主に備えている。そして、このような記録ディスクカートリッジ１は、専用のドライブ装置Ｄ（図６参照）に、その前側から挿入されて使用される。
【００２８】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図６参照）。
【００２９】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図６参照）の動作に干渉しない形状となっている。また、カートリッジケース１０は、アクセス用開口部１０１に隣接する部分に、折り曲げ部１０２を有している。折り曲げ部１０２については後に詳しく説明する。
【００３０】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００３１】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００３２】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００３３】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００３４】
また、上シェル１１は、その前側であってアクセス用開口部１１１に隣接する位置に、金属プレートを下向きに折り曲げ加工して一体形成された平面視直線状の折り曲げ部１１７を有している。これと同様に、下シェル１２は、その前側であってアクセス用開口部１２１に隣接する位置に、金属プレートを上向きに折り曲げ加工して一体形成された平面視直線状の折り曲げ部１２７を有している。そして、カートリッジケース１０が組み立てられたときに、折り曲げ部１１７と折り曲げ部１２７が重なり合って、カートリッジケース１０の前端部１０ａにおいて、カートリッジケース１０の周壁のうちアクセス用開口部１０１に隣接する部分である折り曲げ部１０２（図１参照）を構成する。なお、折り曲げ部１０２のアクセス用開口部１０１と反対側の端部１０２ａは、後記するアーチ状フレーム１３１のアクセス用開口部１０１側の端部と重なっている（図３（ｂ）参照）。
【００３５】
さらに、上シェル１１は、その中央部に、ロータリシャッタ２０を回動可能に止め付けるセンタピン５０と係合する係合孔１１３を有している。
【００３６】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００３７】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００３８】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３９】
また、アーチ状フレーム１３１は、図３（ａ）に示すように、下向きに開口し、カートリッジケース１０の内部と外部を連通させる係合溝１３１ｅを有している。この係合溝１３１ｅは、後記するロック片７０が係合する溝である。
【００４０】
また、アーチ状フレーム１３１は、図３（ｂ）に示すように、アクセス用開口部１０１側の端部に、折り曲げ部１０２のアクセス用開口部１０１と反対側の端部１０２ａと重なり合う重複部１３１ｆを有している。この重複部１３１ｆの外側面１３１ｇは、アーチ状フレーム１３１の外壁面１３１ｂと折り曲げ部１０２の外側面とが面一になるように、アーチ状フレーム１３１の外壁面１３１ｂよりも、折り曲げ部１０２の厚さ分だけ内側寄りに位置している。また、重複部１３１ｆの外側面１３１ｇは、折り曲げ部１０２の内側面に当接している。そのため、両者の継ぎ目から塵埃が侵入しにくくなる。
【００４１】
Ｖノッチ部材１３３は、後記するように閉方向に付勢されるロータリシャッタ２０を閉位置で止めるストッパとしての役割と（図３（ａ）参照）、ドライブ装置Ｄとの係合部としての役割とを備える部材であり、左端部１０ｄの前側に配置されている。
【００４２】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００４３】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図４参照）。
【００４４】
ロータリシャッタ２０は、図２及び図４に示すように、記録ディスクメディア３０を外部に臨ませる切欠部２０１（シャッタ開口）を有している（図６参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００４５】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図３（ａ）、図６参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図６参照）。
【００４６】
また、ロータリシャッタ２０は、図示しない付勢手段（例えば渦巻きばね）によって、閉方向（図３（ａ）、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図３（ａ）、図６参照）。
ちなみに、本発明において、前記付勢手段は必須の構成要素ではなく、ドライブ装置Ｄ（図６参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４７】
このようなロータリシャッタ２０は、図２及び図４に示すように、金属プレートからなる上シャッタ２１及び下シャッタ２２と、これらの間に介在した合成樹脂製のシャッタウォール２３と、を備えて構成されている。
【００４８】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４９】
また、上シャッタ２１は、図２に示すように、切欠部２１１に隣接する位置に、金属プレートを下向きに折り曲げ加工して一体形成された平面視直線状の折り曲げ部２１５，２１６を有している。これと同様に、下シャッタ２２は、切欠部２２１に隣接する位置に、金属プレートを上向きに折り曲げ加工して一体形成された平面視直線状の折り曲げ部２２５，２２６を有している。そして、ロータリシャッタ２０が組み立てられたときに、折り曲げ部２１５と折り曲げ部２２５が重なり合って、ロータリシャッタ２０の周壁であって切欠部２０１に隣接する部分である折り曲げ部２０５（図４，図５（ｂ）参照）を構成する。同様に、ロータリシャッタ２０が組み立てられたときに、折り曲げ部２１６と折り曲げ部２２６が重なり合って、ロータリシャッタ２０の周壁であって切欠部２０１に隣接する部分である折り曲げ部２０６（図４，図５（ｃ）参照）を構成する。折り曲げ部２０５，２０６の切欠部２０１と反対側の端部２０５ａ，２０６ａは、後記するシャッタウォール２３の端部と重なっている（図５（ｂ），（ｃ）参照）。
【００５０】
また、上シャッタ２１は、その中央部に、前記したセンタピン５０を挿通させるための挿通孔２１２を有している。
【００５１】
下シャッタ２２は、その中央部に、記録ディスクメディア３０の後記するハブ３２を外部に露出させるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００５２】
さらに、下シャッタ２２の下面には、ロータリシャッタ２０を回動させるためのシャッタノブ２４が取り付けられている（図４（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図６参照）。
【００５３】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタの側面から、その径方向外側に向かって徐々に離れるように延出した細長の金属片である。ロック片７０の先端部７１は、径方向内側に向かってやや屈曲している（図３、図４参照）。
【００５４】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００５５】
また、ロック片７０の先端部７１は、係合溝１３１ｅを介して、記録ディスクカートリッジ１の右側方に臨んでいる。そして、記録ディスクカートリッジ１がドライブ装置Ｄ（図６参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００５６】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００５７】
また、シャッタウォール２３は、図５（ｂ），（ｃ）に示すように、その端部に、折り曲げ部２０５，２０６の切欠部２０１と反対側の端部２０５ａ，２０６ａと重なり合う重複部２３ａ，２３ｂを有している。この重複部２３ａ，２３ｂの外側面２３ｃ，２３ｄは、ロータリシャッタ２０の外側面と折り曲げ部２０５，２０６の外側面とが面一になるように、ロータリシャッタ２０の外側面よりも、折り曲げ部２０５，２０６の厚さ分だけ内側寄りに位置している。また、重複部２３ａ，２３ｂの外側面２３ｃ，２３ｄは、折り曲げ部２０５，２０６の内側面に当接している。そのため、両者の継ぎ目から塵埃が侵入しにくくなる。
【００５８】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５９】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図６参照）のスピンドル（図示省略）にチャックされるチャック部３２１を備えている（図４（ｂ）参照）。
【００６０】
＜ライナ６０＞
ライナ６０，６０は、記録ディスクメディア３０をクリーニングすると共に、記録ディスクメディア３０を保護するものであり、例えば、不織布等から形成されている。そして、図２に示すように、ライナ６０，６０は、上シャッタ２１及び下シャッタ２２のフレキシブルディスク３１（記録ディスクメディア３０）側にそれぞれ位置しており、接着テープなどによって上シャッタ２１又は下シャッタ２２に固定されている。
【００６１】
＜ハブ孔シャッタ４０＞
ハブ孔シャッタ４０は、図２に示すように、下シェル１２とハブ３２との間の隙間Ｓ（図６参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００６２】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００６３】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００６４】
さらに、第１シャッタ４１は、下シャッタ２２の下側面に設けられた係合突起２２３ａが係合する係合長孔４１３を有している。同様に、第２シャッタ４２は、係合突起２２３ａが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００６５】
≪記録ディスクカートリッジの作用効果≫
次に、記録ディスクカートリッジ１の作用効果について説明する。まず、ロータリシャッタ２０及びハブ孔シャッタ４０の動作について図６を主に参照して説明し、その後、カートリッジケース１０の折り曲げ部１０２及びロータリシャッタ２０の折り曲げ部２０５，２０６の作用効果について説明する。
【００６６】
＜ロータリシャッタ２０の動作＞
ロータリシャッタ２０は、図６右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６７】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図３（ａ）、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図３（ａ）、矢印Ａ２参照）。
【００６８】
そうすると、シャッタノブ２４が固定されたロータリシャッタ２０は、カートリッジケース１０内でセンタピン５０を軸として回動する（図３（ａ）、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６９】
そして、図６左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００７０】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図３（ａ）参照）。
【００７１】
＜ハブ孔シャッタ４０の動作＞
次に、このようなロータリシャッタ２０の動作に連動するハブ孔シャッタ４０について説明する。
ハブ孔シャッタ４０は、図６右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００７２】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図３（ａ）、矢印Ａ４、Ａ４参照）。
【００７３】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図３（ａ）、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図３（ａ）、矢印Ａ５参照）。
【００７４】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図６左側参照）。その結果として、ハブ３２及びこれを備える記録ディスクメディア３０は、ハブ３２にチャックするドライブ装置Ｄのスピンドル（図示省略）により、良好に回転することができる。
【００７５】
なお、記録ディスクカートリッジ１がドライブ装置Ｄから取り出されると、閉位置に戻るロータリシャッタ２０に連動して、ハブ孔シャッタ４０は隙間Ｓを閉じる。
【００７６】
＜カートリッジケース１０の折り曲げ部１０２の作用効果＞
カートリッジケース１０の周壁のうちアクセス用開口部１０１に隣接する部分である折り曲げ部１０２が、上シェル１１及び下シェル１２を構成する金属プレートを折り曲げ加工することによってこれらと一体に形成されているので、上シェル１１及び下シェル１２とアーチ状フレーム１３１との継ぎ目がアクセス用開口部１０１に露出しない。そのため、記録ディスクカートリッジ１を持ち運んだときでも、カートリッジケース１０の周壁のうちアクセス用開口部１０１に隣接する部分に、異物が引っ掛かりにくい。そのため、上シェル１１及び下シェル１２とアーチ状フレーム１３１とが剥れにくくなる。
【００７７】
また、カートリッジケース１０の折り曲げ部１０２と、アーチ状フレーム１３１の重複部１３１ｆとが重なり合っているので、両者の継ぎ目から塵埃が侵入しにくい。そのため、記録ディスクカートリッジ１の防塵性を損なうことがない。
【００７８】
また、アーチ状フレーム１３１は、図３（ａ）に示すように、アクセス用開口部１０１に近づくに連れて幅が狭くなるが、本実施形態では、折り曲げ部１０２の分だけ、アクセス用開口部１０１からアーチ状フレーム１３１の端部を離すことができるため、アーチ状フレーム１３１のアクセス用開口部１０１側の端部の幅を比較的大きくすることができる。そのため、アーチ状フレーム１３１にボスを形成するとともに上シェル１１及び下シェル１２にボス孔を形成して両者を固着する際に、アーチ状フレーム１３１のアクセス用開口部１０１側の端部のすぐ近くに、比較的大きなボスを形成することができる。そのため、上シェル１１及び下シェル１２とアーチ状フレーム１３１とがしっかりと固着されて剥れにくくなる。
【００７９】
＜ロータリシャッタ２０の折り曲げ部２０５，２０６の作用効果＞
ロータリシャッタ２０の周壁のうち切欠部２０１に隣接する部分である折り曲げ部２０５，２０６が、上シャッタ２１及び下シャッタ２２を構成する金属プレートを折り曲げ加工することによってこれらと一体に形成されているので、上シャッタ２１及び下シャッタ２２とシャッタウォール２３との継ぎ目が切欠部２０１に露出しない。そのため、例えば記録ディスクカートリッジ１の組立時などにロータリシャッタ２０を持ち運んだときでも、ロータリシャッタ２０の周壁のうち切欠部２０１に隣接する部分に、異物が引っ掛かりにくい。そのため、上シャッタ２１及び下シャッタ２２とシャッタウォール２３とが剥れにくくなる。
【００８０】
また、ロータリシャッタ２０の折り曲げ部２０５，２０６と、シャッタウォール２３の重複部２３ａ，２３ｂとが重なり合っているので、両者の継ぎ目から塵埃が侵入しにくい。そのため、記録ディスクカートリッジ１の防塵性を損なうことがない。
【００８１】
以上、本発明の好適な実施形態について説明したが、本発明は前記実施形態に限定されず、本発明の趣旨を逸脱しない範囲で、例えば次のように変更することもできる。
【００８２】
前記した実施形態では、カートリッジケース１０に折り曲げ部１０２を形成するとともに、ロータリシャッタ２０にも折り曲げ部２０５，２０６を形成したが、これに限られるものではなく、カートリッジケース１０とロータリシャッタ２０のいずれか一方のみに、折り曲げ部を形成してもよい。
【００８３】
また、前記した実施形態では、アクセス用開口部１０１に隣接するカートリッジケース１０の周壁のうち、アーチ状フレーム１３１側のみに折り曲げ部１０２を形成したが、Ｖノッチ部材１３３側にも折り曲げ部を形成してもよい。
【図面の簡単な説明】
【００８４】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】下シェル及びハブ孔シャッタを取り外したときの記録ディスクカートリッジの下側の様子を示す平面図であり、（ａ）は全体図、（ｂ）は（ａ）の符号Ｅ部分の拡大図である。
【図４】本実施形態に係るロータリシャッタを示す斜視図であり、（ａ）は前方斜め上方からみた図、（ｂ）は後方斜め下方からみた図である。
【図５】上シャッタを取り外した状態のロータリシャッタの様子を示す平面図であり、（ａ）は、全体図、（ｂ）は（ａ）の符号Ｆ部分の拡大図、（ｃ）は（ａ）の符号Ｇ部分の拡大図である。
【図６】本実施形態に係る記録ディスクカートリッジをドライブ装置に挿入した状態を示す斜視図である。
【図７】従来の記録ディスクカートリッジを示す斜視図であり、（ａ）は、従来の記録ディスクカートリッジの上側を前方左側から見下ろした様子を示す図、（ｂ）は、この記録ディスクカートリッジを構成するロータリシャッタの分解斜視図である。
【符号の説明】
【００８５】
１      記録ディスクカートリッジ
１０    カートリッジケース
１０１  アクセス用開口部
１０２  折り曲げ部
１１    上シェル
１２    下シェル
１３    フレーム部材
２０    ロータリシャッタ
２０１  切欠部
２０５  折り曲げ部
２０６  折り曲げ部
２１    上シャッタ
２２    下シャッタ
２３    シャッタウォール
３０    記録ディスクメディア
４０    ハブ孔シャッタ
Ｄ      ドライブ装置
【図１】
2007164875.tif 000003
【図２】
2007164875.tif 000004
【図３】
2007164875.tif 000005
【図４】
2007164875.tif 000006
【図５】
2007164875.tif 000007
【図６】
2007164875.tif 000008
【図７】
2007164875.tif 000009